(57)【要約】【課題】携帯端末において容易にＷｅｂ画面をキャプチャして保存し、送信することができるキャプチャ処理システムを提供すること。【解決手段】携帯電話１は、Ｗｅｂページを閲覧する機能、ユーザが所望する表示画面データを保存する機能、保存された画面データをメールに添付して送信する機能を有するプログラムを備える。また、プログラムはメール送信機能の代わりに、保存された画面情報をサーバに送信する機能、保存ＵＲＬ受信機能を備えてもよい。この場合にはサーバ２が、端末から送信された画面データをＷｅｂ上に保存する機能、保存ＵＲＬを端末に送信する機能を有するプログラムを備える。動的にページ生成されるサイトにおいても携帯電話１のユーザが表示された画面を保存し、他人に送ることができる。また、サーバ２に画面データを保存すれば、携帯電話１のメモリ使用量が少なくて済む。【選択図】図１
2005332160.tif 000002
【特許請求の範囲】
【請求項１】
情報処理機能とデータ通信機能を有する携帯端末において、
所望のＷｅｂページ画面を表示する閲覧手段と、
前記閲覧手段によって表示された画面データを画像データとして保存するキャプチャ手段と、
保存された画面データをメールに添付して送信するメール送信手段と
を備えたことを特徴とする携帯端末。
【請求項２】
情報処理機能とデータ通信機能を有する携帯端末において、
所望のＷｅｂページ画面を表示する閲覧手段と、
前記閲覧手段によって表示された画面データを画像データとして保存するキャプチャ手段と、
保存された画面データをサーバに送信するサーバ送信手段と、
サーバに保存された画面情報を読み出すためのＵＲＬを受信するＵＲＬ受信手段と
を備えたことを特徴とする携帯端末。
【請求項３】
情報処理機能とデータ通信機能を有する携帯端末のコンピュータを、
所望のＷｅｂページ画面を表示する閲覧手段、
前記閲覧手段によって表示された画面データを画像データとして保存するキャプチャ手段、
保存された画面データをメールに添付して送信するメール送信手段
として機能させるためのキャプチャ処理プログラム。
【請求項４】
情報処理機能とデータ通信機能を有する携帯端末のコンピュータを、
所望のＷｅｂページ画面を表示する閲覧手段、
前記閲覧手段によって表示された画面データを画像データとして保存するキャプチャ手段、
保存された画面データをサーバに送信するサーバ送信手段、
サーバに保存された画面情報を読み出すためのＵＲＬを受信するＵＲＬ受信手段
として機能させるためのキャプチャ処理プログラム。
【請求項５】
通信網を介して携帯端末と通信可能なサーバ装置において、
前記携帯端末から送信された画面キャプチャデータをＷｅｂ上に保存するＷｅｂ保存手段と、
上記保存手段によって保存された画面キャプチャデータと対応するＵＲＬを携帯端末に送信するＵＲＬ送信手段と
を備えたことを特徴とするサーバ装置。
【請求項６】
Ｗｅｂページを閲覧する閲覧手段、前記閲覧手段によって表示された画面データを保存するキャプチャ手段、保存された画面情報をサーバに送信するサーバ送信手段、サーバに保存された画面情報を読み出すためのＵＲＬを受信するＵＲＬ受信手段とを備えた、情報処理機能とデータ通信機能を有する携帯端末、
前記携帯端末から送信された画面キャプチャデータをＷｅｂ上に保存するＷｅｂ保存手段、上記保存手段によって保存された画面キャプチャデータと対応するＵＲＬを前記携帯端末に送信するＵＲＬ送信手段とを備えた、通信網を介して携帯端末と通信可能なサーバ装置
からなることを特徴とするキャプチャ処理システム。
【請求項７】
携帯端末によって所望のＷｅｂページ画面を表示するステップ、
前記ステップによって表示された画面データを画像データとして保存するステップ、
保存された画面データをメールに添付して送信するステップ
を含むことを特徴とするキャプチャ処理方法。
【請求項８】
携帯端末によって所望のＷｅｂページ画面を表示するステップ、
前記ステップによって表示された画面データを画像データとして保存するステップ、
前記携帯端末が保存された画面データをサーバ装置に送信するステップ、
前記サーバ装置に保存された画面情報を読み出すためのＵＲＬを前記携帯端末が受信するステップ
を含むことを特徴とするキャプチャ処理方法。
【発明の詳細な説明】
【技術分野】
【０００１】
本発明は、携帯端末、キャプチャ処理プログラム、サーバ装置、キャプチャ処理システム、およびキャプチャ処理方法に関するものであり、特に、携帯端末において容易にＷｅｂ画面をキャプチャして保存し、送信することが可能な携帯端末、キャプチャ処理プログラム、サーバ装置、キャプチャ処理システム、およびキャプチャ処理方法に関するものである。
【背景技術】
【０００２】
従来、携帯電話機等の携帯端末において、Ｗｅｂブラウザを装備し、インターネットにアクセスしてＷｅｂにおいて公開されているホームページを閲覧する機能が標準装備されるようになっている。このような携帯端末においては、ブラウザで閲覧したページのＵＲＬ（Uniform Resource Locator）を保存して、次回そのページに簡単にアクセスできるようなブックマーク機能が装備されている。例えば、下記の特許文献１には、発信履歴のある複数のＵＲＬが表示され、ユーザが所望のＵＲＬを選択することによって、簡単に所望のサイトにアクセスできる技術が開示されている。更に、ブラウザにおいて画面表示情報を保存して再表示させることができる「画面メモ」という機能を備えているものもある。
【特許文献１】特開２００１−２４３１４６号公報
【発明の開示】
【発明が解決しようとする課題】
【０００３】
例えば、ゲームサイトにおけるランキング表示ページにおいては、常にランキングの情報が更新されるために、サイトにおいては、ユーザからのランキングページ要求に対して、その時点でのランキング情報を取得して動的にランキング表示ページを生成して端末に送信している。従って、このような場合には同じＵＲＬでもリアルタイムで内容が更新されるために、従来のブックマーク機能を使用してユーザがランキング１位になった画面のＵＲＬを保存しておき、再度アクセスしても同じ画面が表示されないという問題点があった。従って、携帯電話機のユーザは、上記したようなランキング画面を保存したり、他人に送ったりすることができなかった。また、上記した「画面メモ」機能で画面を保存しても、他人に転送して見せることができないという問題点があった。
本発明の目的は、上記した問題点を解決し、携帯端末において容易にＷｅｂ画面をキャプチャして保存し、送信することが可能な携帯端末、キャプチャ処理プログラム、サーバ装置、キャプチャ処理システム、およびキャプチャ処理方法を提供することにある。
【課題を解決するための手段】
【０００４】
本発明の携帯端末は、情報処理機能とデータ通信機能を有する携帯端末において、所望のＷｅｂページ画面を表示する閲覧手段と、前記閲覧手段によって表示された画面データを画像データとして保存するキャプチャ手段と、保存された画面データをメールに添付して送信するメール送信手段とを備えたことを主要な特徴とする。あるいは、本発明の携帯端末は、情報処理機能とデータ通信機能を有する携帯端末において、所望のＷｅｂページ画面を表示する閲覧手段と、前記閲覧手段によって表示された画面データを画像データとして保存するキャプチャ手段と、保存された画面データをサーバに送信するサーバ送信手段と、サーバに保存された画面情報を読み出すためのＵＲＬを受信するＵＲＬ受信手段とを備えたことを主要な特徴とする。
【０００５】
本発明のキャプチャ処理プログラムは、情報処理機能とデータ通信機能を有する携帯端末のコンピュータを、所望のＷｅｂページ画面を表示する閲覧手段、前記閲覧手段によって表示された画面データを画像データとして保存するキャプチャ手段、保存された画面データをメールに添付して送信するメール送信手段として機能させることを主要な特徴とする。あるいは、本発明のキャプチャ処理プログラムは、情報処理機能とデータ通信機能を有する携帯端末のコンピュータを、所望のＷｅｂページ画面を表示する閲覧手段、前記閲覧手段によって表示された画面データを画像データとして保存するキャプチャ手段、保存された画面データをサーバに送信するサーバ送信手段、サーバに保存された画面情報を読み出すためのＵＲＬを受信するＵＲＬ受信手段として機能させることを主要な特徴とする。
本発明のサーバ装置は、通信網を介して携帯端末と通信可能なサーバ装置において、前記携帯端末から送信された画面キャプチャデータをＷｅｂ上に保存するＷｅｂ保存手段と、上記保存手段によって保存された画面キャプチャデータと対応するＵＲＬを携帯端末に送信するＵＲＬ送信手段とを備えたことを主要な特徴とする。
【０００６】
本発明のキャプチャ処理システムは、Ｗｅｂページを閲覧する閲覧手段、前記閲覧手段によって表示された画面データを保存するキャプチャ手段、保存された画面情報をサーバに送信するサーバ送信手段、サーバに保存された画面情報を読み出すためのＵＲＬを受信するＵＲＬ受信手段とを備えた、情報処理機能とデータ通信機能を有する携帯端末、前記携帯端末から送信された画面キャプチャデータをＷｅｂ上に保存するＷｅｂ保存手段、上記保存手段によって保存された画面キャプチャデータと対応するＵＲＬを前記携帯端末に送信するＵＲＬ送信手段とを備えた、通信網を介して携帯端末と通信可能なサーバ装置からなることを主要な特徴とする。
【０００７】
本発明のキャプチャ処理方法は、携帯端末によって所望のＷｅｂページ画面を表示するステップ、前記ステップによって表示された画面データを画像データとして保存するステップ、保存された画面データをメールに添付して送信するステップを含むことを主要な特徴とする。あるいは、本発明のキャプチャ処理方法は、携帯端末によって所望のＷｅｂページ画面を表示するステップ、前記ステップによって表示された画面データを画像データとして保存するステップ、前記携帯端末が保存された画面データをサーバ装置に送信するステップ、前記サーバ装置に保存された画面情報を読み出すためのＵＲＬを前記携帯端末が受信するステップを含むことを主要な特徴とする。
【発明の効果】
【０００８】
本発明は上記のような特徴によって、表示された画面そのものをキャプチャするので、動的にページ生成されるサイトにおいても携帯電話機のユーザが上記したようなランキング画面を保存し、他人に送ることができるという効果がある。また、キャプチャした画面データをサーバに保存するようにすれば、携帯端末のメモリ使用量が少なくで済むという効果もある。更に、他人にその画面を見せたい場合には保存ＵＲＬを通知すればよいので、転送データ量も少なくて済むという効果もある。
【発明を実施するための最良の形態】
【０００９】
以下、本発明を実施するための最良の形態について、図面を参照して詳細に説明する。本実施の形態では、携帯端末として携帯電話機を使用する例を開示する。但し、本発明はインターネットに接続してＷｅｂ閲覧が可能な任意の携帯端末について適用可能である。
【００１０】
まずシステム全体の構成について説明する。図１は、本発明の実施例のシステム全体を示す概略構成図である。このシステムは、携帯端末の一種である携帯電話１とサーバ２が携帯電話網５およびインターネット４を介して接続可能に構成されている。携帯電話網５は、基地局９、パケット交換処理を司るパケット網６、インターネット４に接続されたゲートウェイサーバ７とを備え、携帯電話１とインターネット４との接続を可能にする。携帯電話１は、たとえば、HTTP（Hyper Text Transfer Protocol）によりＷｅｂ閲覧を可能にするＷｅｂブラウザを標準装備しており、更に本発明によるアプリケーションプログラムをダウンロードして記憶可能である。
【００１１】
サーバ２はデータベース３を備え、Ｗｅｂサーバ、メールサーバ、アプリケーションサーバ等の機能を有する。サーバ２はインターネット４を介して携帯電話１やパソコンなどの端末と通信を行うとともに、携帯電話網４およびインターネット５を介して携帯電話１からのアクセスに応じて後述するような処理を行う。データベース３は、サーバ２に接続されたデータベースシステムであり、ダウンロード用アプリ、ユーザ関連データ、コンテンツデータ等の各種データを記憶すると共にサーバ２からの要求に基づきサーバ２に必要なデータを提供する。
【００１２】
図２は、本実施例の携帯電話１の内部構成例を示すブロック図である。携帯電話１は、制御部２０、通信制御部２１、表示部２３、入力部２４、音声／サウンド制御部、時計部２８、記憶部３０を備え、各回路はバス２９によって接続されている。
【００１３】
情報処理機能を実現する制御部２０は、CPU、ROM、RAMなどを備え、ROMや記憶部３０に記憶された各種プログラムに従って携帯電話１全体の制御を行う。アプリケーションプログラムとしては、例えばＷｅｂ閲覧を制御するＷｅｂブラウザ、メールの送受信を制御するメーラープログラム、あるいはダウンロードされた本発明に関するアプリを実行可能である。記憶部３０は、例えば不揮発性のメモリからなり、上記した各種アプリやアプリで使用するデータ、待ち受け画像等の画像データ、着メロデータ、電話帳データなどをを記憶している。
【００１４】
アンテナ２２を備えた通信制御部２１は基地局との間のデータおよび音声通信機能を実行する。例えば液晶表示器を備えた表示部２３は制御部２０の制御によって文字や画像を表示する。入力部２４は、電話番号や文字を入力するためのダイヤルキー、メインメニューを呼び出したり、画面上の選択可能なアイコンに対して上下左右へカーソルを移動してアイコンを選択するためのセレクトキー、ダイヤルキーやセレクトキーで選択した項目を確定する確定キーなどを備える。
【００１５】
音声／サウンド制御部２５は、スピーカ２６およびマイク２７が接続されており、呼出音、着信メロ等のサウンド出力や通話時の音声出力、およびマイク２７からの音声入力を実行する。時計部は制御部に現在時刻情報を提供する。この他、赤外線通信機能、近距離無線通信機能、外部機器接続機能、カメラ機能、（デジタル）テレビあるいは（デジタル）ラジオ受信機能、メモリカードスロット等を備えていてもよい。
【００１６】
図３は、本実施の形態によるサーバ２の内部構成例を示すブロック図である。サーバ２は、制御部４１、記憶部４２、通信制御部４３、データベースインターフェイス部４４、時計部４５等からなり、各回路はバス４６によって接続されている。制御部４１はCPU、ROM、RAMなどを備え、周知のＯＳ、サーバプログラムおよび本発明の機能を実現するアプリケーションプログラムを実行することにより、サーバ全体を制御する。
【００１７】
記憶部４２は例えばハードディスク装置を備え、ＯＳ、周知のあるいは本発明による各種アプリケーションプログラム、データ等を記憶している。通信制御部４３は、図示しないルータやファイヤウォールサーバを介してインターネット４に接続され、インターネット４を介して携帯電話１などとの双方向通信を実行する。時計部４５は現在時刻を計時し、制御部４１に提供する。データベースインタフエース部４４はデ−タベース３に接続され、データベース２との間でデータ授受を行う。
【００１８】
以下に、本発明によるキャプチャ処理の機能および動作を説明する。図４は、本発明のキャプチャ処理の概要を示すフローチャートである。Ｓ１０においては、携帯電話機のユーザがサーバにアクセスしてユーザ登録を行う。Ｓ１１においては、サーバから携帯電話へ本発明によるキャプチャ機能付きのブラウザであるアプリケーションプログラムをダウンロードする。
【００１９】
Ｓ１２においては、携帯電話においてダウンロードしたアプリを使用して任意のＷｅｂを閲覧する。Ｓ１３においては、ユーザがキャプチャしたい画面が表示されている状態においてアプリにキャプチャを指示したか否かにより、画面をキャプチャするか否かが判定され、判定結果が否定の場合にはＳ１４に移行するが、肯定の場合にはＳ１５に移行する。Ｓ１５においては、アプリが画面をキャプチャし、Ｓ１６においては、キャプチャした画面データをメールに添付して送信するか、あるいは記憶部に保存する。Ｓ１４においては、終了するか否かが判定され、判定結果が肯定の場合には処理を終了するが、否定の場合にはその他の処理に移行する。
【００２０】
図５は、本発明のキャプチャ処理の詳細な内容を示すフローチャートである。このフローチャートは図４のＳ１２〜Ｓ１６の処理に対応する。縦線は時間の経過を示し、横点線は情報、データの移動を示している。Ｓ２０においては、携帯電話１においてダウンロードしたアプリでＷｅｂを閲覧する。サーバは要求されたページデータを生成して送信する。図７（ａ）はアプリによって表示されたＷｅｂ画面例を示す説明図である。
【００２１】
Ｓ２１においては、ユーザの操作に基づいて現在表示されている画面をキャプチャするか否かを判定する。ユーザーは、例えば図７（ａ）に図示するようなメニューボタン５０を選択し、図７（ｂ）に図示するようなプルアップメニューから「キャプチャ」５１を選択する。この他、例えばアプリによって画面上にキャプチャボタンを常に表示しておいてもよい。また、特定のキー操作をキャプチャ指示とみなすようにしてもよい。
【００２２】
Ｓ２１の判定結果が肯定の場合にはＳ２２に移行し、図７（ｃ）に示すようなサブメニューを表示して表示部分のみをキャプチャするか、あるいはページ全体をキャプチャするかをユーザに選択させる。図７（ｃ）においては、「表示部分」５２を選択した場合を示している。Ｓ２３においては、指定された範囲の画面をキャプチャする。キャプチャ方法は、指定された範囲の画面データをGIFやJPEG等の公知の形式の画像ファイルに変換して記憶部３０に一時的に保存する。図７（ｄ）は、キャプチャ処理中の画面例を示す説明図であり、「キャプチャ中」の文字５３が表示されている。
【００２３】
Ｓ２４においては、図７（ｅ）に示すような「キャプチャ完了」５４を表示し、アプリがキャプチャしたデータに関して、「画像表示」、「保存」、「メール送信」５４等の処理メニューを表示する。Ｓ２５においては、処理メニューの「画像表示」が選択操作されたか否かによって、画像表示するか否かを判定する。そして判定結果が肯定の場合にはＳ２６に移行する。Ｓ２６においては、一時保存されている画像データを所定時間だけ表示する。ユーザは一時保存した画像の内容を確認することができる。
【００２４】
Ｓ２７においては、処理メニューの「保存」が選択操作されたか否かによって、保存するか否かが判定され、判定結果が肯定の場合にはＳ２８に移行する。Ｓ２８においては、端末内の記憶部あるいはメモリーカード等に名前を付けてデータを保存する。Ｓ２９においては、処理メニューの「メール送信」が選択操作されたか否かによって、メール送信するか否かが判定され、判定結果が肯定の場合にはＳ３０に移行する。図７（ｅ）は、「メール送信」５４が選択された場合を示している。
【００２５】
Ｓ３０においては、一時保存されているキャプチャ画像データを本文に貼り付けたメールを生成して送信する。図７（ｆ）は、メールの送信先を選択する画面例を示している。この画面において送信先を選択して「決定」操作をすることにより、メールが送信される。図７（ｇ）に「メール送信完了」５６が表示された画面例を示す。なお、キャプチャデータを添付する指示をして既存のメーラーを起動してもよい。Ｓ３１においては、「戻る」が選択操作されたか否かによって、キャプチャデータに関する処理を終了して閲覧状態に戻るか否かが判定され、判定結果が肯定の場合にはＳ３２に移行する。Ｓ３２においては、記憶部に一時保存されているキャプチャデータを削除してＳ２０に戻る。
以上のような処理によって、携帯電話端末において、Ｗｅｂ画面のキャプチャ、保存、メール送信等が可能となる。
【００２６】
図６は、本発明の第２実施例におけるキャプチャ処理の内容を示すフローチャートである。この実施例は、端末においてキャプチャしたデータをサーバに保存するものである。このフローチャートは図４のＳ１２〜Ｓ１６の処理に対応する。
Ｓ４０においては、携帯電話１においてダウンロードしたアプリでＷｅｂを閲覧する。Ｓ４１においては、サーバ２は要求されたページデータを生成して送信する。図７（ａ）はアプリによって表示されたＷｅｂ画面例を示す説明図である。
【００２７】
Ｓ４２においては、ユーザの操作に基づいて現在表示されている画面をキャプチャするか否かを判定する。ユーザーは、例えば図７（ａ）に図示するようなメニューボタン５０を選択し、図７（ｂ）に図示するようなプルアップメニューから「キャプチャ」５１を選択する。この他、例えばアプリによって画面上にキャプチャボタンを常に表示しておいてもよい。また、特定のキー操作をキャプチャ指示とみなすようにしてもよい。
【００２８】
Ｓ４２の判定結果が肯定の場合にはＳ４３に移行し、図７（ｃ）に示すようなサブメニューを表示して表示部分のみをキャプチャするか、あるいはページ全体をキャプチャするかをユーザに選択させる。図７（ｃ）においては、「表示部分」５２を選択した場合を示している。Ｓ４４においては、指定された範囲の画面をキャプチャする。キャプチャ方法は、指定された範囲の画面データをGIFやJPEG等の公知の形式の画像ファイルに変換して記憶部３０に一時的に保存する。図７（ｄ）は、キャプチャ処理中の画面例を示す説明図であり、「キャプチャ中」の文字５３が表示されている。
【００２９】
Ｓ４５においては、図７（ｅ）に示すような「キャプチャ完了」５４を表示し、アプリがキャプチャしたデータに関して、「画像表示」、「保存」、「メール送信」５４等の処理メニューを表示する。Ｓ４６においては、処理メニューの「画像表示」が選択操作されたか否かによって、画像表示するか否かを判定する。そして判定結果が肯定の場合にはＳ４７に移行する。Ｓ４７においては、一時保存されている画像データを所定時間だけ表示する。ユーザは一時保存した画像の内容を確認することができる。
【００３０】
Ｓ４８においては、処理メニューの「保存」が選択操作されたか否かによって、保存するか否かが判定され、判定結果が肯定の場合にはＳ４９に移行する。Ｓ４９においては、予めユーザ登録してある特定のＵＲＬのサーバにアクセスする。なお、携帯電話網のキャリアから認定された公式サイト（サーバ）であれば、アクセスしてきた携帯電話のＵＩＤ（ユーザ固有の識別情報）を携帯電話網から取得可能であるので、ユーザの特定（認証）が可能である。また、ユーザＩＤとパスワードによって認証を行ってもよい。アプリは記憶部に一時保存されているキャプチャデータをサーバ２に送信する。
【００３１】
Ｓ５０においては、サーバ２において受信したキャプチャデータをＷｅｂ上に閲覧可能な状態で保存する。なお、保存されたキャプチャデータは一定期間経過後に削除する。Ｓ５１においては、Ｗｅｂ保存したデータのＵＲＬを端末に送信する。Ｓ５２においては、端末においてキャプチャデータと対応するＵＲＬを受信し、記憶部に名前を付けて保存する。なお、ブックマーク情報としてブラウザに登録してもよい。
【００３２】
Ｓ５３においては、処理メニューの「メール送信」が選択操作されたか否かによって、メール送信するか否かが判定され、判定結果が肯定の場合にはＳ５４に移行する。図７（ｅ）は、「メール送信」５４が選択された場合を示している。
Ｓ５４においては、Ｗｅｂ保存したキャプチャデータと対応するＵＲＬを本文に記載したメールを生成して送信する。図７（ｆ）は、メールの送信先を選択する画面例を示している。この画面において送信先を選択して「決定」操作をすることにより、メールが送信される。図７（ｇ）に「メール送信完了」５６が表示された画面例を示す。なお、ＵＲＬを記載する指示をして既存のメーラーを起動してもよい。なお、メール送信はＷｅｂ保存後でないと実行できないので、未保存の場合には警告を表示してＳ４５に戻る。
【００３３】
Ｓ５５においては、処理メニューの「戻る」が選択操作されたか否かによって、キャプチャデータに関する処理を終了して閲覧状態に戻るか否かが判定され、判定結果が肯定の場合にはＳ５６に移行する。Ｓ５６においては、記憶部に一時保存されているキャプチャデータを削除してＳ４０に戻る。
以上のような処理によって、携帯電話端末において、Ｗｅｂ画面のキャプチャ、保存、メール送信等が可能となる。第２実施例の場合には画面データを端末に保存しないので、第１実施例よりもメモリの使用量が少なくて済む。
【００３４】
以上実施例を説明したが、本発明には以下のような変形例も考えられる。実施例においては、専用のアプリによって閲覧とキャプチャを行う例を開示したが、汎用のブラウザの動作中に、特定のキー操作等によってキャプチャ機能専用のアプリを起動して画面情報をキャプチャ可能であれば、汎用ブラウザとキャプチャ機能のみのアプリでも本発明を実行可能である。
【００３５】
また、ユーザ登録した特定のサイトの中の画面をキャプチャする場合には、サーバから送信する画面中にキャプチャボタンを設け、ユーザがそのボタンを選択操作することによって、端末に予めダウンロードされているアプリが起動してキャプチャするようにしてもよい。
第２実施例においては、アプリがＵＲＬを受信して保存する例を開示したが、サーバから携帯電話へＵＲＬが記載されたメールを送信するようにしてもよい。この場合には、他人に見せたい場合にそのメールを転送すればよい。
【産業上の利用可能性】
【００３６】
本発明は、携帯電話機等の携帯端末、サーバ装置、携帯電話網、インターネット等を含むデータ通信システム、情報処理システムの産業分野で利用可能である。
【図面の簡単な説明】
【００３７】
【図１】本発明の実施例のシステム全体を示す概略構成図である。
【図２】本実施例の携帯電話の内部構成例を示すブロック図である。
【図３】本実施の形態によるサーバの内部構成例を示すブロック図である。
【図４】本発明のキャプチャ処理の概要を示すフローチャートである。
【図５】本発明のキャプチャ処理の詳細を示すフローチャートである。
【図６】本発明の第２実施例におけるキャプチャ処理の内容を示すフローチャートである。
【図７】携帯電話において表示される画面例を示す説明図である。
【符号の説明】
【００３８】
１…携帯電話機
２…サーバ
３…データベース
４…インターネット
５…携帯電話網
６…パケット網
７…ゲートウェイサーバ
９…基地局
１０…ＴＶ放送局
１１…テレビ受信機
【図１】
2005332160.tif 000003
【図２】
2005332160.tif 000004
【図３】
2005332160.tif 000005
【図４】
2005332160.tif 000006
【図５】
2005332160.tif 000007
【図６】
2005332160.tif 000008
【図７】
2005332160.tif 000009